(57)【要約】  電子書籍コンテンツ再生用端末１は、タッチパネル１６の表示画面１６ａに沿って細分化して配置された複数の振動発生素子１７と、振動発生素子１７に電気信号を供給して振動を発生させる振動発生部１８と、表示画面１６ａ上に表示されている電子書籍コンテンツのページ画像のページ位置を検出するページ位置検出部２０と、表示画面１６ａ上での操作位置におけるページ画像に対するページめくりの操作を検出する接触検出部１３、接触範囲算出部１９、及び移動状態算出部２１と、ページめくりの操作が検出された際に、操作位置に対応する振動発生素子１７をページ画像のページ位置に対応した強度で振動させるように制御する振動制御部２２とを備える。
2013137239.tif 000002
【特許請求の範囲】
【請求項１】
タッチパネルの表示画面に沿って細分化して配置され、電気信号に応じて前記表示画面に電気信号に応じた強度の振動を与える複数の振動発生素子と、
前記複数の振動発生素子に電気信号を供給して振動を発生させる振動発生手段と、
前記表示画面上に表示されている電子書籍コンテンツのページ画像のページ位置を検出するページ位置検出手段と、
前記表示画面上での操作位置におけるユーザによる前記ページ画像に対するページめくりの操作を検出する操作検出手段と、
前記ページめくりの操作が検出された際に、前記操作位置に対応する位置に配置された前記振動発生素子を、前記ページ画像の前記ページ位置に対応した強度で振動させるように、前記振動発生手段を制御する振動制御手段と、
を備えることを特徴とする電子書籍コンテンツ再生用端末。
【請求項２】
前記操作検出手段は、
前記表示画面上でのページ画像の端部におけるユーザによる接触位置の移動を検出することによりページめくりの操作を検出する、
ことを特徴とする請求項１記載の電子書籍コンテンツ再生用端末。
【請求項３】
前記操作検出手段は、
前記表示画面上での前記接触位置の移動の方向及び距離に応じて、前記ページ画像のページ位置の増減数を決定する、
ことを特徴とする請求項２記載の電子書籍コンテンツ再生用端末。
【請求項４】
前記振動制御手段は、
前記操作検出手段によって決定された前記ページ位置の増減数に応じた時間の長さ或いは回数で振動させるように、前記振動発生手段を制御する、
ことを特徴とする請求項３記載の電子書籍コンテンツ再生用端末。
【請求項５】
前記振動制御手段は、
前記操作検出手段によって検出された前記接触位置の移動の方向に応じて、前記接触位置の範囲内における部分領域を決定し、当該部分領域に対応する位置に配置された前記振動発生素子を振動させるように、前記振動発生手段を制御する、
ことを特徴とする請求項２〜４のいずれか１項に記載の電子書籍コンテンツ再生用端末。
【請求項６】
タッチパネルの表示画面に沿って細分化して配置され、電気信号に応じて前記表示画面に電気信号に応じた強度の振動を与える複数の振動発生素子と、前記複数の振動発生素子に電気信号を供給して振動を発生させる振動発生手段とを有する電子書籍コンテンツ再生用端末を用いた電子書籍コンテンツ再生方法であって、
ページ位置検出手段が、前記表示画面上に表示されている電子書籍コンテンツのページ画像のページ位置を検出するページ位置検出ステップと、
操作検出手段が、前記表示画面上での操作位置におけるユーザによる前記ページ画像に対するページめくりの操作を検出する操作検出ステップと、
振動制御手段が、前記ページめくりの操作が検出された際に、前記操作位置に対応する位置に配置された前記振動発生素子を、前記ページ画像の前記ページ位置に対応した強度で振動させるように、前記振動発生手段を制御する振動制御ステップと、
を備えることを特徴とする電子書籍コンテンツ再生方法。
【発明の詳細な説明】
【技術分野】
【０００１】
本発明は、電子書籍コンテンツを再生する電子書籍コンテンツ再生用端末及び電子書籍コンテンツ再生方法に関するものである。
【背景技術】
【０００２】
従来から、携帯電話端末、スマートフォン、ＰＤＡ（Personal Digital Assistant）、パーソナルコンピュータ等の情報端末において、電子書籍コンテンツを受信して再生する機能が提供されている。例えば、下記特許文献１には、電子データをページ単位で表示する端末機器に関して、ページをめくりながら表示内容を検索することができる機能について開示されている。このような機能によれば、ページの厚みの内部におけるマウスのボタンの押された位置とマウスのボタンが離された位置とが検出され、それらの位置に応じて、めくり上げられるページ数及び、ページがめくり上げられて表示される領域が算出されている。さらに、この機能によれば、めくり上げられたページの厚み部分の隣接ページ間の境界線をポインタが通過することを検出すると、その都度ページがめくり下げられるように表示される。
【先行技術文献】
【特許文献】
【０００３】
【特許文献１】特開２００３−１５７１３４号公報
【発明の概要】
【発明が解決しようとする課題】
【０００４】
しかしながら、上述した従来の電子書籍コンテンツの表示機能によれば、電子書籍コンテンツのページの検索が実現されるが、実際の紙媒体の書籍を使用する際の感覚が十分再現されておらず、ユーザによる電子書籍のページめくりの操作感覚と実際の書籍を用いた場合の感覚との違いが大きい。その結果、ページ検索を行う際に操作をやり直す回数が増加する傾向にあった。【０００５】
そこで、本発明は、かかる課題に鑑みて為されたものであり、ユーザによるページめくりの操作感覚を実際の書籍を用いた感覚に十分近づけることができ、操作性を効果的に向上させることが可能な電子書籍コンテンツ再生用端末及び電子書籍コンテンツ再生方法を提供することを目的とする。
【課題を解決するための手段】
【０００６】
上記課題を解決するため、本発明の一側面にかかる電子書籍コンテンツ再生用端末は、タッチパネルの表示画面に沿って細分化して配置され、電気信号に応じて表示画面に電気信号に応じた強度の振動を与える複数の振動発生素子と、複数の振動発生素子に電気信号を供給して振動を発生させる振動発生手段と、表示画面上に表示されている電子書籍コンテンツのページ画像のページ位置を検出するページ位置検出手段と、表示画面上での操作位置におけるユーザによるページ画像に対するページめくりの操作を検出する操作検出手段と、ページめくりの操作が検出された際に、操作位置に対応する位置に配置された振動発生素子を、ページ画像のページ位置に対応した強度で振動させるように、振動発生手段を制御する振動制御手段と、を備える。【０００７】
或いは、本発明の他の側面に係る電子書籍コンテンツ再生方法は、タッチパネルの表示画面に沿って細分化して配置され、電気信号に応じて表示画面に電気信号に応じた強度の振動を与える複数の振動発生素子と、複数の振動発生素子に電気信号を供給して振動を発生させる振動発生手段とを有する電子書籍コンテンツ再生用端末を用いた電子書籍コンテンツ再生方法であって、ページ位置検出手段が、表示画面上に表示されている電子書籍コンテンツのページ画像のページ位置を検出するページ位置検出ステップと、操作検出手段が、表示画面上での操作位置におけるユーザによるページ画像に対するページめくりの操作を検出する操作検出ステップと、振動制御手段が、ページめくりの操作が検出された際に、操作位置に対応する位置に配置された振動発生素子を、ページ画像のページ位置に対応した強度で振動させるように、振動発生手段を制御する振動制御ステップと、を備える。【０００８】
このような電子書籍コンテンツ再生用端末、或いは電子書籍コンテンツ再生方法によれば、タッチパネルの表示画面上に表示されている電子書籍のページ画像のページ位置が検出されると共に、ユーザによる表示画面上のページ画像内の操作位置におけるページめくりの操作が検出され、その操作の検出に応じて、操作位置に対応する部分の表示画面がページ位置に対応した強度で振動するように制御される。これにより、ユーザに対して実際の書籍のページめくり時に近い操作感覚を与えることができ、ページめくりの操作性を十分に向上させることができる。その結果、電子書籍のページめくり操作時の誤操作を防止することができる。【０００９】
操作検出手段は、表示画面上でのページ画像の端部におけるユーザによる接触位置の移動を検出することによりページめくりの操作を検出する、ことでもよい。こうすれば、表示画面上でページめくりの動作を表示させるタイミングを実際の書籍におけるページめくりの動作のタイミングと合わせることができ、ページめくりの操作性をより一層向上させることができる。【００１０】
また、操作検出手段は、表示画面上での接触位置の移動の方向及び距離に応じて、ページ画像のページ位置の増減数を決定する、ことでもよい。かかる構成を採れば、ユーザの操作によって決めるページめくりのページ数を、実際の書籍のページめくりの操作によって生じるページ数に近づけることができ、ページめくりの操作性をさらに一層向上させることができる。【００１１】
さらに、振動制御手段は、操作検出手段によって決定されたページ位置の増減数に応じた時間の長さ或いは回数で振動させるように、振動発生手段を制御する、ことでもよい。この場合、ユーザに対して実際の書籍のページめくり時により近い操作感覚を与えることができる。【００１２】
またさらに、振動制御手段は、操作検出手段によって検出された接触位置の移動の方向に応じて、接触位置の範囲内における部分領域を決定し、当該部分領域に対応する位置に配置された振動発生素子を振動させるように、振動発生手段を制御する、ことでもよい。こうすれば、ユーザに対して与える振動の表示画面上の位置が実際の書籍のページめくり時に近づけられ、ユーザに対して実際の書籍のページめくり時により一層近い操作感覚を与えることができる。
【発明の効果】
【００１３】
本発明によれば、ユーザによるページめくりの操作感覚を実際の書籍を用いた感覚に十分近づけることができ、操作性を効果的に向上させることができる。
【図面の簡単な説明】
【００１４】
【図１】本発明の好適な一実施形態にかかる電子書籍コンテンツ再生用端末の概略構成図である。
【図２】図１のタッチパネル１６及び振動発生素子１７の構成を示す平面図である。
【図３】図１の表示制御部１５によって表示画面１６ａに表示された書籍イメージ画像Ｇ１を示す図である。
【図４】図１の表示制御部１５によって表示画面１６ａに表示された書籍イメージ画像Ｇ１を示す図である。
【図５】図１の検出データ格納部１４に格納された制御状態情報のデータ構成を示す図である。
【図６】図１の電子書籍コンテンツ再生用端末１によるコンテンツ再生時の動作を示すフローチャートである。
【図７】本発明の変形例によって表示画面１６ａに表示された書籍イメージ画像Ｇ２を示す図である。
【発明を実施するための形態】
【００１５】
以下、図面とともに本発明による電子書籍コンテンツ再生用端末及び電子書籍コンテンツ再生方法の好適な実施形態について詳細に説明する。なお、図面の説明においては同一要素には同一符号を付し、重複する説明を省略する。
【００１６】
図１は、本発明の好適な一実施形態にかかる電子書籍コンテンツ再生用端末１の概略構成図である。図１に示す電子書籍コンテンツ再生用端末１は、携帯電話端末、スマートフォン、ＰＤＡ、パーソナルコンピュータ、ゲーム機等に代表される端末装置であり、移動体通信方式を採用した移動体通信ネットワーク又は有線通信ネットワーク等によって構成される通信ネットワークＮＷを介して、電子書籍コンテンツ配信用サーバ２と相互にデータ通信を行うことが可能とされている。
【００１７】
この電子書籍コンテンツ再生用端末１は、通信ネットワークＮＷを経由して、電子書籍コンテンツ配信用サーバ２から電子書籍コンテンツを受信して、電子書籍コンテンツによって表されるページ画像を含む書籍イメージ画像を再生する機能を有する情報通信端末であり、物理的または機能的な構成要素として、データ受信部１１と、コンテンツデータ格納部１２と、接触検出部（操作検出手段）１３と、検出データ格納部１４と、表示制御部（操作検出手段）１５と、タッチパネル１６と、振動発生素子１７と、振動発生部（振動発生手段）１８と、接触範囲算出部１９と、ページ位置検出部（ページ位置検出手段）２０と、移動状態算出部（操作検出手段）２１と、振動制御部（振動制御手段）２２とを備えている。
【００１８】
まず、電子書籍コンテンツ再生用端末１の各構成要素の構成又は機能について詳細に説明する。
【００１９】
電子書籍コンテンツ再生用端末１には、コンテンツデータ格納部１２に格納されている画像データによって表される画像を表示する表示画面としてタッチパネル１６が設けられている。さらに、図２に示すように、このタッチパネル１６の近傍には、タッチパネル１６の表示画面１６ａの内側に沿ってその表示画面１６ａのほぼ全面を覆うように細分化されて配置された複数の振動発生素子１７が設けられている。このような構成により、表示画面１６ａに対して細分化された領域ごとに振動を与えることが可能になる。この振動発生素子１７としては、外部から供給される電気信号によって駆動され、電気信号の波形に応じて様々な強度及び周波数で振動する平面状の圧電素子が好適に用いられる。各振動発生素子１７の表示画面１６ａに沿った形状は、様々な形状に設定されうるが、タッチパネル１６による検出の対象がユーザの指であることを前提としている場合には、指の表示画面１６ａとの平均的な接触面積の３分の１程度の面積を有し、縦横比が表示画面１６ａの縦横比にほぼ等しくなるような矩形状に設定される。
【００２０】
図１に戻って、振動発生部１８は、複数の振動発生素子１７に電気的に接続され、振動発生素子１７に様々な波形の電気信号を選択的に供給することにより、特定の箇所に配置された振動発生素子１７を駆動させる回路部である。この振動発生部１８は、振動制御部２２によって制御されることにより、複数の振動発生素子１７から選択された所定の振動発生素子１７を、所定の強度、所定の持続時間、及び所定の周波数で振動させることができるように構成されている。例えば、振動発生部１８は、電気信号の電圧振幅を変更することで振動の強度を変更することができ、電気信号の持続時間を変更することで振動の持続時間を変更することができ、電気信号の周波数を変更することで振動の周波数を変更することができる。
【００２１】
データ受信部１１は、通信ネットワークＮＷを経由して電子書籍コンテンツ（以下、単に、「コンテンツ」ともいう。）を受信して、受信したコンテンツをコンテンツデータ格納部１２に格納する。具体的には、データ受信部１１は、ユーザからタッチパネル１６を介した受信指示入力を受け付け、その受信指示入力に応じて電子書籍コンテンツ配信用サーバ２から所望のコンテンツを受信する機能を有する。
【００２２】
接触検出部１３は、ユーザによるタッチパネル１６の表示画面１６ａ上での操作を検出する。具体的には、接触検出部１３は、ユーザの指の表示画面１６ａ上での接触位置を検出する。そして、接触検出部１３は、表示画面１６ａ上で検出した接触位置を示すデータを、表示制御部１５、接触範囲算出部１９、ページ位置検出部２０、及び移動状態算出部２１に引き渡す。
【００２３】
表示制御部１５は、接触検出部１３によって表示画面１６ａ上の所定位置（例えば、表示されたボタン画像の位置）での接触が検出されたことを契機に、コンテンツデータ格納部１２に格納されたコンテンツの示す書籍イメージ画像を、表示画面１６ａに表示するように制御する。図３及び図４には、表示制御部１５によって表示画面１６ａに表示された書籍イメージ画像Ｇ１を示している。これらの図に示すように、書籍イメージ画像Ｇ１として、右側の見開きページ画像ＧＲ１と、左側の見開きページ画像ＧＬ１とが繋がって表示され、また、右側の見開きページ画像ＧＲ１の右端には、当該ページ画像ＧＲ１のページと表紙の間に挟まれたページの端部のイメージを示すページ端部画像ＧＲＥ１が合わせて表示され、左側の見開きページ画像ＧＬ１の左端には、当該ページ画像ＧＬ１のページと表紙の間に挟まれたページの端部のイメージを示すページ端部画像ＧＬＥ１とが合わせて表示される。
【００２４】
また、表示制御部１５は、接触検出部１３によってページ端部画像ＧＲＥ１またはページ端部画像ＧＬＥ１におけるページめくり操作が検出されたことを契機に、書籍イメージ画像においてページめくり動作が再生されるように制御する。すなわち、表示制御部１５は、ページめくりの操作位置に相当するページ端部画像ＧＲＥ１において、接触位置が右方向に移動されたことが検出された場合には、ページ端部画像ＧＲＥ１に重ねて表示されたページが、見開きページ画像ＧＲ１の最上部に表示されたページからそのページの下層部に重ねられたページの順に、見開きページ画像ＧＬ１側にページめくりされるように表示を制御する（図３）。同様に、表示制御部１５は、ページめくりの操作位置に相当するページ端部画像ＧＲＥ１において、接触位置が左方向に移動されたことが検出された場合にも、ページ端部画像ＧＲＥ１に重ねて表示されたページが見開きページ画像ＧＬ１側にページめくりされるように表示を制御する（図４）。このとき、表示制御部１５は、接触位置の横方向の移動距離に応じて、ページめくりを行うページ数を決定する。一方で、表示制御部１５は、ページめくりの操作位置に相当するページ端部画像ＧＬＥ１において、接触位置が右方向あるいは左方向に移動されたことが検出された場合には、ページ端部画像ＧＬＥ１に重ねて表示されたページが、見開きページ画像ＧＬ１の最上部に表示されたページからそのページの下層部に重ねられたページの順に、見開きページ画像ＧＲ１側にページめくりされるように表示を制御する。さらに、表示制御部１５は、表示制御の対象の書籍イメージ画像Ｇ１の制御状態を示す制御状態情報を、検出データ格納部１４に格納する。
【００２５】
接触範囲算出部１９は、表示制御部１５によって書籍イメージ画像Ｇ１が表示されている間にページめくり操作が検出された際に、接触検出部１３から出力されたデータを基に、書籍イメージ画像Ｇ１におけるユーザの指の接触範囲を計算する。そして、接触範囲算出部１９は、計算した接触範囲を示す値を、表示中の書籍イメージ画像Ｇ１に対応するコンテンツを識別する情報に対応付けて検出データ格納部１４に格納する。
【００２６】
ページ位置検出部２０は、表示制御部１５によって書籍イメージ画像Ｇ１が表示されている間にページめくり操作が検出された際に、書籍イメージ画像Ｇ１の総ページ数、及び見開きページ画像ＧＲ１，ＧＬ１のページ位置を検出する。そして、ページ位置検出部２０は、検出した情報を、書籍イメージ画像Ｇ１に対応するコンテンツを識別する情報に対応付けて検出データ格納部１４に格納する。例えば、ページ位置検出部２０は、見開きページ画像ＧＲ１，ＧＬ１のページ位置を示す情報として、見開きページ画像ＧＲ１，ＧＬ１の最上部に表示されたページとそのページの下層部に重ねられたページを含むページ数を検出する。
【００２７】
移動状態算出部２１は、表示制御部１５によって書籍イメージ画像Ｇ１が表示されている間にページめくり操作が検出された際に、接触検出部１３から出力されたデータを基に、ページ端部画像ＧＲＥ１，ＧＬＥ１におけるユーザの接触位置の移動方向及び移動距離を検出する。さらに、移動状態算出部２１は、検出した移動方向及び移動距離に応じて、表示制御部１５によって制御されるページめくりのページ数を決定する。詳細には、移動状態算出部２１は、ページ端部画像ＧＲＥ１において接触位置が横方向に移動されたことが検出された場合には、見開きページ画像ＧＲ１から見開きページ画像ＧＬ１に向けたページ位置の増減数を、横方向の接触位置の移動距離に応じた数値に決定する。また、移動状態算出部２１は、ページ端部画像ＧＬＥ１において接触位置が横方向に移動されたことが検出された場合には、見開きページ画像ＧＬ１から見開きページ画像ＧＲ１に向けたページ位置の増減数を、横方向の接触位置の移動距離に応じた数値に決定する。そして、移動状態算出部２１は、決定したページめくりのページ数を示す値を、表示中の書籍イメージ画像Ｇ１に対応するコンテンツを識別する情報に対応付けて検出データ格納部１４に格納する。
【００２８】
図５には、表示制御部１５、接触範囲算出部１９、ページ位置検出部２０、及び移動状態算出部２１によって、検出データ格納部１４に格納された制御状態情報のデータ構成を示す。同図に示すテーブルデータＴ１には、コンテンツファイル名“Ａ”で識別されるコンテンツに関する表示制御状態を示す制御状態情報として、書籍イメージ画像Ｇ１の表す書籍の総ページ数“２００”と、見開きページ画像ＧＲ１に重ねて表示されたページ数“１５”と、見開きページ画像ＧＬ１に重ねて表示されたページ数“１８５”と、ページめくり操作時の接触位置の横方向の移動距離を示す“スライド幅：１ｍｍ”と、それに対応して決定されたページめくりのページ数“１”と、ページめくり操作時の接触範囲を示す“接触位置データ：（Ｘ１，Ｙ１）”及び“接触範囲面積：Ｚ１”とが、コンテンツファイル名“Ａ”に関連付けて格納される。なお、このテーブルデータＴ１に含まれる制御状態情報は、ページめくり操作が検出される都度、ページめくり操作が反映された情報に更新される。同図には、情報更新後のテーブルデータＴ２，Ｔ３の一例も併せて示している。詳細には、コンテンツファイル名“Ａ”で識別されるコンテンツが再生された状態で、図３に示すようにページ端部画像ＧＲＥ１において右方向に移動距離“５ｍｍ”のページめくり操作が検出された際に、テーブルデータＴ１からテーブルデータＴ２に更新される様子が示されている。また、コンテンツファイル名“Ｂ”で識別されるコンテンツが再生された状態で、図４に示すようにページ端部画像ＧＲＥ１において左方向に移動距離“１０ｍｍ”のページめくり操作が検出された際に、テーブルデータＴ１からテーブルデータＴ３に更新される様子が示されている。
【００２９】
振動制御部２２は、表示制御部１５によってページめくり操作が検出された際に、その時の操作位置に対応する位置に配置された振動発生素子１７を、見開きページ画像ＧＲ１，ＧＬ１の最上部のページ位置に対応する振動強度で振動させるように振動発生部１８を制御する。
【００３０】
すなわち、振動制御部２２は、ページめくり操作が検出された際に、検出データ格納部１４を参照し、そのときに表示されている書籍イメージ画像に対応するコンテンツに関する制御状態情報を参照する。そして、振動制御部２２は、参照した制御状態情報の示す接触範囲に基づいて、接触範囲内の部分領域を決定し、その部分領域に対応する位置の振動発生素子１７を振動させるように制御する。詳細には、振動制御部２２は、ページ端部画像ＧＲＥ１において右方向への接触位置の移動が検出された場合には、接触範囲内の左側の３分の１の範囲（部分領域）に対応する位置の振動発生素子１７を振動させる一方で、ページ端部画像ＧＲＥ１において左方向への接触位置の移動が検出された場合には、接触範囲内の右側の３分の１の範囲（部分領域）に対応する位置の振動発生素子１７を振動させる。また、振動制御部２２は、ページ端部画像ＧＬＥ１において右方向への接触位置の移動が検出された場合には、接触範囲内の右側の３分の１の範囲（部分領域）に対応する位置の振動発生素子１７を振動させる一方で、ページ端部画像ＧＬＥ１において左方向への接触位置の移動が検出された場合には、接触範囲内の左側の３分の１の範囲（部分領域）に対応する位置の振動発生素子１７を振動させる。ここで、部分領域に複数の振動発生素子１７が跨っている場合には、振動制御部２２は、部分領域をカバーする面積が最も大きい振動発生素子１７を振動させるように制御する。
【００３１】
なお、このとき、振動制御部２２は、ページめくりが検出されたページ端部画像ＧＲＥ１，ＧＬＥ１に重ねられたページ数に対応した強度に振動強度を設定する。例えば、ページ端部画像ＧＲＥ１に対してページめくり操作が検出された際に見開きページ画像ＧＲ１に重ねて表示されたページ数が“１５”である場合には、ページ数“１５”に対応する振動強度に設定する。例えば、振動強度の設定値は、書籍の総ページ数に対応する振動強度を最大値として、総ページ数に対するページ数の割合に最大値を乗じた値に設定される。或いは、振動強度の設定値を、ページ数“１”に対する振動強度を最小値として、ページ数に最小値を乗じた値に設定してもよい。
【００３２】
さらに、振動制御部２２は、ページめくり操作が検出された際に、ページめくり操作のページ位置の増減数に応じた回数或いは時間の長さで振動させるように振動発生部１８を制御する。
【００３３】
すなわち、振動制御部２２は、移動状態算出部２１によって接触位置の移動距離から算出されたページめくりのページ数に応じて、そのページ数に相当する回数分の電気信号を振動発生素子１７に供給するように、振動発生部１８を制御する。これにより、振動発生素子１７によりタッチパネル１６に対して、ページめくりのページ数に相当する回数で振動が与えられる。この際、振動制御部２２は、表示制御部１５による表示画面１６ａ上でのページめくりの画像動作と振動発生素子１７の振動動作とを同期させるように、電気信号の供給タイミングを設定する。
【００３４】
または、振動制御部２２は、ページめくりのページ数に応じて、そのページ数に相当する時間の長さで振動発生素子１７を振動させるように振動発生部１８を制御してもよい。詳細には、１ページ分のページめくりの画像操作に“０．５秒”を要すると想定される場合には、振動制御部２２は、ページめくりのページ数に１ページ分の画像動作に要する時間“０．５秒”を乗じた時間を計算し、その時間の長さで振動させるように振動発生部１８を制御する。この際、振動制御部２２は、振動発生素子１７における振動の周波数を、１ページ分の画像操作に要する時間“０．５秒”あたりに１回振動するように、当該時間の逆数である１÷０．５（秒）＝２Ｈｚに設定する。
【００３５】
以下、図６を参照して、電子書籍コンテンツ再生用端末１の動作について説明するとともに、併せて電子書籍コンテンツ再生用端末１における電子書籍コンテンツ再生方法について詳述する。同図は、電子書籍コンテンツ再生用端末１によるコンテンツ再生時の動作を示すフローチャートである。
【００３６】
まず、電子書籍コンテンツ再生用端末１のユーザからタッチパネル１６を介してコンテンツの出力指示が受け付けられると、表示制御部１５によって、コンテンツがコンテンツデータ格納部１２から読み出されて表示画面１６ａに出力される（ステップＳ１０１、図３、図４）。そして、接触検出部１３によって表示画面１６ａ上に表示されたページ端部画像ＧＲＥ１，ＧＬＥ１においてページめくり操作が検出されたか否かが繰り返し判定される（ステップＳ１０２）。判定の結果、ページめくり操作が検出された場合には（ステップＳ１０２；ＹＥＳ）、移動状態算出部２１によって、ページめくり操作が検出された箇所が右側のページ端部画像ＧＲＥ１であるか否かが判定される（ステップＳ１０３）。
【００３７】
その結果、ページめくり操作が右側のページ端部画像ＧＲＥ１で検出された場合には（ステップＳ１０３；ＹＥＳ）、振動制御部２２によって検出データ格納部１４から制御状態情報が参照されることにより、右側のページ端部画像ＧＲＥ１に重ねて表示されたページ数が参照される（ステップＳ１０９）。そして、振動制御部２２によって、そのページ数を基に振動強度が算出される（ステップＳ１１０）。次に、移動状態算出部２１によって、ページめくり操作時の接触位置の移動方向が右方向であるか否かが判定される（ステップＳ１１１）。判定の結果、接触位置の移動方向が右方向であると判定された場合には（ステップＳ１１１；ＹＥＳ）、振動制御部２２によって、接触範囲内の左側に部分領域Ｐ１が特定される（ステップＳ１１３、図３）。一方で、接触位置の移動方向が左方向であると判定された場合には（ステップＳ１１１；ＮＯ）、振動制御部２２によって、接触範囲内の右側に部分領域Ｐ２が特定される（ステップＳ１１２、図４）。
【００３８】
ステップＳ１０３での判定の結果、ページめくり操作が左側のページ端部画像ＧＬＥ１で検出された場合には（ステップＳ１０３；ＮＯ）、振動制御部２２によって検出データ格納部１４から制御状態情報が参照されることにより、左側のページ端部画像ＧＬＥ１に重ねて表示されたページ数が参照される（ステップＳ１０４）。そして、振動制御部２２によって、そのページ数を基に振動強度が算出される（ステップＳ１０５）。次に、移動状態算出部２１によって、ページめくり操作時の接触位置の移動方向が右方向であるか否かが判定される（ステップＳ１０６）。判定の結果、接触位置の移動方向が右方向であると判定された場合には（ステップＳ１０６；ＹＥＳ）、振動制御部２２によって、接触範囲内の右側に部分領域が特定される（ステップＳ１０８）。一方で、接触位置の移動方向が左方向であると判定された場合には（ステップＳ１０６；ＮＯ）、振動制御部２２によって、接触範囲内の左側に部分領域が特定される（ステップＳ１０７）。
【００３９】
次に、移動状態算出部２１により、ページめくり操作の際の接触位置の移動方向及び移動距離が検出され、それらを基にページめくりのページ数が決定される（ステップＳ１１４）。その後、振動制御部２２によって、振動回数がページめくりのページ数に相当する回数に確定される（ステップＳ１１５）。そして、振動制御部２２によって、設定された振動強度及び振動回数で部分領域に対応する位置の振動発生素子１７を振動させるように、振動発生部１８が制御される（ステップＳ１１６）。その後、接触検出部１３により、ユーザからコンテンツの出力解除指示が受け付けられたか否かが判定され（ステップＳ１１７）、出力解除指示が受け付けられていない場合には（ステップＳ１１７；ＮＯ）、処理がステップＳ１０２に戻され、出力解除指示が受け付けられた場合には（ステップＳ１１７；ＹＥＳ）、コンテンツの出力処理が終了される。
【００４０】
以上説明した電子書籍コンテンツ再生用端末１、及び電子書籍コンテンツ再生用端末１における電子書籍コンテンツ再生方法によれば、タッチパネル１６の表示画面１６ａ上に表示されている電子書籍の見開きページ画像ＧＲ１，ＧＬ１のページ位置が検出されると共に、ユーザによる表示画面１６ａ上の見開きページ画像ＧＲ１，ＧＬ１内のページ端部画像ＧＲＥ１，ＧＬＥ１におけるページめくりの操作が検出され、その操作の検出に応じて、操作位置に対応する部分の表示画面１６ａがページ位置に対応した強度で振動するように制御される。これにより、ユーザに対して実際の書籍のページめくり時に近い操作感覚を与えることができ、ページめくりの操作性を十分に向上させることができる。その結果、電子書籍のページめくり操作時の誤操作を防止することができる。
【００４１】
また、表示画面１６ａ上でのページ端部画像ＧＲＥ１，ＧＬＥ１におけるユーザによる接触位置の移動を検出することによりページめくりの操作が検出されるので、表示画面１６ａ上でページめくりの動作を表示させるタイミングを実際の書籍におけるページめくりの動作のタイミングと合わせることができ、ページめくりの操作性をより一層向上させることができる。また、表示画面１６ａ上での接触位置の移動の方向及び距離に応じて、見開きページ画像ＧＲ１，ＧＬ１のページ位置の増減数を決定するので、ユーザの操作によって決めるページめくりのページ数を、実際の書籍のページめくりの操作によって生じるページ数に近づけることができ、ページめくりの操作性をさらに一層向上させることができる。さらに、見開きページ画像ＧＲ１，ＧＬ１のページ位置の増減数に応じた時間の長さ或いは回数で表示画面１６ａが振動するように制御されるので、ユーザに対して実際の書籍のページめくり時により近い操作感覚を与えることができる。
【００４２】
さらに、表示画面１６ａ上で検出された接触位置の移動の方向に応じて、接触位置の範囲内における部分領域を決定し、表示画面１６ａが当該部分領域に対応する位置で振動するように制御されるので、ユーザに対して与える操作感覚が実際の書籍のページめくり時に近づけられる。具体的に言えば、実際のページめくり操作時には、人差指でめくりながらの操作と、親指で押しながらの操作のいずれかが選択される。さらに言えば、ページめくり操作の対象箇所が書籍の右側端部であるか左側端部であるかによって、人差指及び親指それぞれのスライド方向が異なる。本実施形態によれば、振動を与える箇所を指の左右のどちら側にするのかを、実際の操作時にページがはねて振動が与えられる箇所に合わせて、適切に設定することができる。
【００４３】
なお、本発明は、上述した実施形態に限定されるものではない。
【００４４】
例えば、コンテンツデータ格納部１２から読み出されて再生されるコンテンツの書籍イメージ画像としては、図７に示すように、１つの見開きページ画像ＧＲ２のみを含む画像Ｇ２であってもよい。この場合も、上述した実施形態と同様にして、ページ端部画像ＧＲＥ２におけるページめくりの操作が検出され、その操作位置に対応する箇所の表示画面１６ａが、見開きページ画像ＧＲ２のページ位置に対応した強度、及びページめくりの枚数に対応した回数で振動するように制御される。
【産業上の利用可能性】
【００４５】
本発明は、電子書籍コンテンツ再生用端末及び電子書籍コンテンツ再生方法を使用用途とし、ユーザによるページめくりの操作感覚を実際の書籍を用いた感覚に十分近づけることができ、操作性を効果的に向上させることができるものである。
【符号の説明】
【００４６】
１…電子書籍コンテンツ再生用端末、１３…接触検出部（操作検出手段）、１６…タッチパネル、１６ａ…表示画面、１７…振動発生素子、１８…振動発生部（振動発生手段）、１９…接触範囲算出部（操作検出手段）、２０…ページ位置検出部（ページ位置検出手段）、２１…移動状態算出部（操作検出手段）、２２…振動制御部（振動制御手段）、Ｇ１，Ｇ２…書籍イメージ画像、ＧＲ１，ＧＬ１，ＧＲ２…見開きページ画像、ＧＬＥ１，ＧＲＥ１，ＧＲＥ２…ページ端部画像。
【図１】
2013137239.tif 000003
【図２】
2013137239.tif 000004
【図３】
2013137239.tif 000005
【図４】
2013137239.tif 000006
【図５】
2013137239.tif 000007
【図６】
2013137239.tif 000008
【図７】
2013137239.tif 000009
【国際調査報告】
2013137239.tif 000010
2013137239.tif 000011
2013137239.tif 000012
2013137239.tif 000013